(57)【要約】【課題】収納部をステープルの脚部の高さだけの深さに抑えることができ、フィット感がよいとともに、カバー１の取り付けも簡単な予備ステープル収納部を備えたステープラ。【解決手段】先端にクリンチ溝５を形成したベース１と複数のステープル６を装填したマガジン２との間に被綴り用紙１４を挟み、マガジン２の上部のハンドル３をマガジン２側に押し付け、ハンドル３に設けたドライバプレート１１でマガジン２内の先頭のステープル６を打出して被綴り用紙１４を貫通させ、貫通したステープル６の脚部をベース１のクリンチ溝５で折り曲げて綴じるとともに、ハンドル３の上面に予備ステープル収納部１５を開口形成したステープラにおいて、上記収納部１５を覆うカバー１６を軟質の合成樹脂から形成し、上記ベース１、マガジン２およびハンドル３と同軸に開閉自在に支持させ、上記カバー１６が収納部１５を覆ったときにハンドル３の両側部に係合させた。【選択図】図１
2005111630.tif 000002
【特許請求の範囲】
【請求項１】
先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるとともに、ハンドルの上面に予備ステープル収納部を開口形成したステープラにおいて、
上記収納部を覆うカバーを軟質の合成樹脂から形成し、上記ベース、マガジンおよびハンドルと同軸に開閉自在に支持させ、上記カバーが収納部を覆ったときにハンドルの両側部に係合させた
ことを特徴とする予備ステープル収納部を備えたステープラ。
【請求項２】
前記予備ステープル収納部は、前記カバーとハンドルとの間に形成された、請求項１記載の予備ステープル収納部を備えたステープラ。
【発明の詳細な説明】
【技術分野】
【０００１】
本発明は、マガジン内に装填したステープルのほかに、予備ステープルの収納部を備えたステープラに関するものである。
【背景技術】
【０００２】
一般に、この種のステープラは、先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるものである。
ところで、ステープルはマガジン内に装填され、マガジン先端の打ち出し部から先頭のステープルが打ち出されると、送り手段によって後続のステープルが次々に打ち出し部に供給されるように構成されている。しかしながら、マガジン内には各５０本のステープルを連結した２連の連結ステープル、つまり計１００本のステープルが装填できる程度の収納スペースしかない。綴じ作業の多いオフィスでは、１００本のステープルは短時間のうちに消費されてしまうので、使用者はいつもマガジン内のステープルの消費状態に気を配っていなければならないので、煩わしかった。
【０００３】
この改善策として、ハンドルの上面に予備ステープル収納部を開口形成し、ここに予備のステープルを収納しておくものが提案されている。
【特許文献１】実開平３−１１５７１号公報
【特許文献２】実用新案登録第３０６５３３０号公報
【発明の開示】
【発明が解決しようとする課題】
【０００４】
しかしながら、このようにハンドルの上面に収納部を開口するように形成すると、蓋もハンドルの上面と面一になるように取り付けられる。したがって、ステープルの脚部の高さよりも蓋の厚み分だけ収納部を深くしなければならない。このため、アイデアとしては優れているが、ハンドル全体の高さを変えなければならず、蓋の取り付け構造も複雑にならざるを得ず、コストアップが問題であった。
【０００５】
本発明は上記問題点を解消し、ハンドルの上面に予備ステープル収納部を開口形成するとともに、
この収納部をステープルの脚部の高さだけの深さに抑えることができ、フィット感がよいとともに、カバーの取り付けも簡単な予備ステープル収納部を備えたステープラを提供することをその課題とする。
【課題を解決するための手段】
【０００６】
上記課題を解決するため、本発明に係る予備ステープル収納部を備えたステープラは、先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるとともに、ハンドルの上面に予備ステープル収納部を開口形成したステープラにおいて、上記収納部を覆うカバーを軟質の合成樹脂から形成し、上記ベース、マガジンおよびハンドルと同軸に開閉自在に支持させ、上記カバーが収納部を覆ったときにハンドルの両側部に係合させたことを特徴とする。
【発明の効果】
【０００７】
本発明によれば、予備ステープル収納部を覆うカバーをベース、マガジンおよびハンドルと同軸に開閉自在に支持させたものであるから、収納部をステープルの脚部の高さだけの深さに抑えることができ、カバーが収納部を覆ったときにハンドルの両側部に係合させる構造であるから、カバーの取り付けも簡単である。したがって、コストも低く抑えることができる。
【０００８】
また、カバーは軟質の合成樹脂から形成されているので、フィット感がよい。また、カバーは収納部にのみ設ければよく、綴じ作業をするときは、カバーのないハンドルの先端部を親指で押し付けて行うので、カバーが綴じ作業の邪魔になることがない。
【実施例】
【０００９】
図１は本発明に係るステープラの斜視図、図２はその縦断面図であり、図３は図２のＸ−Ｘ線上の断面図を示す。これらの図において符号１はベース、２はマガジン、３はハンドルを示す。これらのベース１、マガジン２およびハンドル３は同じ支軸４に支持されている。ベース１の先端にはクリンチ溝５が形成され、マガジン２には複数のステープル６が装填されているとともに、先端部には先頭のステープル６を打ち出す打ち出し部７が形成されている。装填されたステープル６の後端にはプッシャ８が係合し、プッシャ８はバネ９によってステープル６を常時打ち出し部７側に移動するように付勢されている。
なお、ベース１の基部には板バネ１０が固定され、この板バネ１０によってマガジン２は常にベース１に対して一定の間隔が保持されるように付勢されている。
ハンドル３は横断面が下向きに開口したコの字形に形成され、外側は合成樹脂によって形成され、内側の先端にはドライバプレート１１が形成されている。また、ハンドル３の下部にはステープル押さえ１２が一体的に設けられている。ステープル６押えの基部は上記支軸４に係合され、先端はドライバプレート１１の高さ方向に摺動可能に保持され、ハンドル３の上底部に取り付けられたバネ板１３によってマガジン２側に回動するように付勢されている。
上記構成により、ベース１と複数のステープル６を装填したマガジン２との間に被綴り用紙１４を挟み、ハンドル３をマガジン２側に押し付けることにより、ドライバプレート１１でマガジン２内の先頭のステープル６を打ち出し部７から打ち出して被綴り用紙１４を貫通させ、貫通したステープル６の脚部をベース１のクリンチ溝５で折り曲げて綴じることができる。
【００１０】
次に、上記ハンドル３の上面には予備ステープル収納部１５が開口形成されている。この収納部は綴り作動時に上記板バネ１３が動くときの邪魔にならないように、ハンドル３の基部側の片寄り位置に形成されている。また、収納部１５の幅と深さは、図４に示されるように、２連の連結ステープル６Ａが上下に向き合い、互いの脚部が当接した状態で収納できる大きさに形成されている。収納部１５の長さは２連の連結ステープル６Ａが前後に連続する状態で収納できる大きさに形成されている。したがって、収納部１５には４連の連結ステープル６Ａを収納することができる。
【００１１】
上記収納部１５はカバー１６によって覆われるようになっている。カバー１６は軟質塩化ビニル樹脂などの軟質の合成樹脂から形成され、上記ベース１、マガジン２およびハンドル３と同軸４に開閉自在に支持されている。また、カバー１６の横断面は略下向きに開口したコ字形で、閉じ時にはハンドル３の外面に密着するように形成されている。カバー１６の長さは上記収納部１５の先端よりもやや先側に延長する程度であり、両側部の高さ寸法はハンドル３の両側部よりも大きく形成され、しかも先端縁１６ａは内側に彎曲している。
【００１２】
上記構成のため、カバー１６を開くことで収納部１５の内部に４連の予備用連結ステープル６Ａ（合計２００本のステープル）を収納することができる。マガジン２には２連の連結ステープル６Ａが装填できるから、ステープラには全部で３００本の予備ステープル６、６Ａを保持しておくことができ、ステープル６の交換も余裕をもって行うことができる。収納部１５に予備ステープル６Ａを収納した後、カバー１６を閉じて開口部を覆えばよい。カバー１６が収納部１５を覆ったとき、その両側部の先端縁１６ａは弾性により図３のようにハンドル３の両側部に係合してハンドル３を抱えるように保持されるので、カバー１６は閉じ状態に保持される。
【００１３】
上述のように、カバー１６の予備用ステープル収納部１５はほぼステープル６の脚部の高さだけの深さに抑えているので、カバー１６の高さを変えなくても綴り作動に支障がない。
【００１４】
また、カバー１６は軟質の合成樹脂から形成されているので、ハンドル３に対するフィット感がよい。手に持ったときの感触もよい。しかも、カバー１６の肉厚分だけハンドル３の上面が高くなるが、綴り作業をするときは、親指をカバー１６で覆われていないハンドル３の先端部に押し付けて行うのであり、カバー１６で覆われている部分にはあまり手を触れることが少ないので、カバー１６が綴じ作業の邪魔になることがない。
さらに、カバー１６はベース１、マガジン２およびハンドル３と同軸に開閉自在に支持させればよいので、カバー１６が収納部１５を覆ったときに先端縁１６ａはハンドル３の両側部に係合する構造であるから、取り付けも簡単である。したがって、コストも低く抑えることができる。
なお、カバー１６をハンドル３に係合して閉じ状態に保持する例としては、図５のように、ハンドル３の両側部３ａの外側に係合溝１７を形成し、カバー１６の両側部の内側に上記係合溝に係合する係合突部を形成するようにしてもよい。
また、予備ステープル収納部１５は、図６に示されるように、ハンドル３とカバー１６との間に形成するようにしてもよい。
【図面の簡単な説明】
【００１５】
【図１】本発明に係るステープラの斜視図である。
【図２】上記ステープラの縦断面図である。
【図３】図２のＸ−Ｘ線上の断面図である。
【図４】収納部に収納される状態のステープルの斜視図である。
【図５】カバーの閉じ状態の他の例の断面図である。
【図６】収納部の他の例を示す縦断面図である。
【符号の説明】
【００１６】
３  ハンドル
１５  予備ステープル収納部
１６  カバー
【図１】
2005111630.tif 000003
【図２】
2005111630.tif 000004
【図３】
2005111630.tif 000005
【図４】
2005111630.tif 000006
【図５】
2005111630.tif 000007
【図６】
2005111630.tif 000008